(57)【要約】【課題】幅が狭くコンパクトな物品収容装置を提供する。【解決手段】この物品収容装置１０は、上下一対のトレー１１、１２に、それぞれ列状収容部１４、１５、１６、１７を複数列形成するとともに、互いに隣接する前記列状収容部間に折曲げ線部２０、２１を形成し、上側トレー１２で下側トレー１１を覆った後、折曲げ線部２０、２１に沿って上下トレー１１、１２を折り曲げることにより物品２を列状収容部内１４、１５、１６、１７内に収容するようにした。【選択図】  図７
2004238044.tif 000002
【特許請求の範囲】
【請求項１】
互いに分離形成された上下一対のトレーに、それぞれ物品収容用の凹部が複数個列状に配置された列状収容部を複数列形成するとともに、互いに隣接する前記列状収容部間に折曲げ線部を形成し、
前記下側トレーの前記列状収容部内に物品を配置し、前記上側トレーで下側トレーを覆った後、前記折曲げ線部に沿って前記上下トレーを折り曲げることにより前記物品を前記列状収容部内に収容するようにしたことを特徴とする物品収容装置。
【請求項２】
前記列状収容部の表面には互いに対峙する該列状収容部間を嵌着係合させるための嵌着係合用の凹部と突部とが形成されているとともに、前記上下トレーの周縁には上側トレーで下側トレーを覆った際に、互いの位置ずれを防止するための係合手段が形成されていることを特徴とする請求項１に記載の物品収容装置。
【請求項３】
前記係合手段は、前記下側トレーの上面に形成された凹部と、前記上側トレーの下面に形成された凸部とからなることを特徴とする請求項２に記載の物品収容装置。
【請求項４】
前記係合手段は、前記下側トレーの上面に形成された凹部と、該凹部に嵌挿する前記上側トレーの下面に形成された平面部とからなることを特徴とする請求項２に記載の物品収容装置。
【発明の詳細な説明】
【０００１】
【発明の属する技術分野】
この発明は、物品の輸送・搬送時等に発生する振動あるいは衝撃から当該物品を有効に保護する物品収容装置に関し、特に保護対象の物品としてハードディスクの一構成要素であるスピンドルモータ等の小型電子機器を収容する物品収容装置に関する。
【０００２】
【従来技術】
従来から、物品の輸送・搬送時に加わる振動あるいは衝撃から当該物品を保護するため、物品を収容する複数の凹部が列状に形成された第１のトレーと、この第１のトレーを覆うとともに、収容された物品を覆う複数の凹部が列状に形成された第２のトレーとを有する物品収容装置が使用されている。
【０００３】
図１４は上述した従来の物品収容装置１を示す概念斜視図で、特に対象物品としてハードディスクのスピンドルモータ２を収容する物品収容装置１を示している。
【０００４】
この物品収容装置１の第１のトレー３には、上述したスピンドルモータ２の下部を覆う複数の凹部３ａが、その長手方向に沿い列状となって２列に形成されている。
【０００５】
そして、このような物品収容装置１では、その２列に並設形成された各凹部３ａ内にそれぞれスピンドルモータ２の下部を位置決め収容した後、図１５の矢印Ａで示すように、第１のトレー３を別体の第２のトレー４で覆うようにする。
【０００６】
すると、第１のトレー３内に収容された各スピンドルモータ２が第１のトレー３の凹部３ａと第２のトレー４の各凹部４ａとの間に収容されることとなる。
【０００７】
なお、上述した第２のトレー４の各凹部４ａも前記複数の凹部３ａと同様に第２のトレー４の長手方向に沿って列状に並設形成されている。
【０００８】
なお、図１５で示すように、単に第１のトレー３を第２のトレー４で覆うだけでは、互いのトレー３、４が分離し易く、その間からスピンドルモータ２が脱落する虞があるので、通常は図１６で示すように、物品収容装置１の長手方向に沿い所定のピッチで第１のトレー３と第２のトレー４とを複数本の帯体５でそれぞれ互いに分離せぬよう締結する。
【０００９】
すると、物品収容装置１の概念側面図で示す図１７のように、スピンドルモータ２が第１のトレー３と第２のトレー４との間に２列に収容される。
【００１０】
【発明が解決しようとする課題】
ところで、上述した従来の物品収容装置１では、スピンドルモータ２を収容した複数個の当該物品収容装置１を別の箱体等の内部に収容するが、その際、図１７の概念側面図で示すように物品収容装置１は、物品を水平方向に沿って列状に配置するので、その幅Ｌが大きく、このため別の箱体内に収容する場合にコンパクト性が欠けて大量の物品収容装置１を別の箱体内に収容することができない難点があった。
【００１１】
また第１のトレー３と第２のトレー４との間の分離を防止するため、その間を複数本の帯体５で締結しなければならないから、その作業が煩雑である難点もある。
【００１２】
この発明は、上述した事情に鑑み、幅が狭くコンパクトな物品収容装置を提供することを目的とする。
【００１３】
【課題を解決するための手段】
上述した課題を解決するため、この発明の物品収容装置では、互いに分離形成された上下一対のトレーに、それぞれ物品収容用の凹部が複数個列状に配置された列状収容部を複数列形成するとともに、互いに隣接する前記列状収容部間に折曲げ線部を形成し、前記下側トレーの前記列状収容部内に物品を配置し、前記上側トレーで下側トレーを覆った後、前記折曲げ線部に沿って前記上下トレーを折り曲げることにより前記物品を前記列状収容部内に収容するようにしている。
【００１４】
【発明の実施の形態】
以下、この発明に係る物品収容装置の一実施例を詳述する。
【００１５】
図１、図２はこの発明に係わる物品収容装置１０の概念斜視図で、特に図１は、下側トレー１１を示し、また図２は上側トレー１２を示している。
【００１６】
この物品収容装置１０はプラスチック等の合成樹脂により形成された上下一対の下側トレー１１と上側トレー１２からなり、その各内周面には収容する物品の外形形状に対応した形状を有する凹部１３を複数個列状に形成した列状収容凹部１４、１５、１６、１７がそれぞれ２列づつ、即ち複数列形成されている。
【００１７】
また図１に示す下側トレー１１の互いに隣接する前記列状収容凹部１４と列状収容凹部１５との間、また、図２に示す上側トレー１２の列状収容凹部１６と列状収容凹部１７との間には、それぞれ薄板状の折曲げ線部２０、２１が形成されている。
【００１８】
なお、図２に示す上側トレー１２のように、列状収容凹部１６と列状収容凹部１７の表面には互いに嵌着係合することができる突部ａと凹部ｂとが互いに対峙し複数個列状に形成されている。
【００１９】
また、図１に示す下側トレー１１の周縁１１ａと、図２に示す上側トレー１２の周縁１２ａとには、上側トレー１２で下側トレー１１を覆った際に、互いの位置ずれを防止するための係合手段１８が形成され、この係合手段１８は、前記下側トレー１１の上面に形成された凹部１１ｂと、上側トレー１２の下面に形成された凸部１２ｂとにより構成されている。
【００２０】
次に上述した物品収容装置１０の作用を説明する。
【００２１】
まず、図３に示すように、収容対象の物品であるハードディスクのスピンドルモータ２を、下側トレー１１に形成された列状収容凹部１４、１５の各凹部１３内に位置決め収容する。
【００２２】
次に、図４の各矢印Ｂ、Ｃで示すように、下側トレー１１を上側トレー１２で覆い、その下側トレー１１と上側トレー１２の各内周面に形成された、各凹部１３内にハードディスクのスピンドルモータ２を位置決め収容すると、図５で示すように、上側トレー１２の列状収容凹部１６の表面に形成された突部ａ及び凹部ｂと列状収容凹部１７の表面に形成された突部ａ及び凹部ｂとがそれぞれ対峙することとなる。
【００２３】
そして、次に図５に示す状態から、上下プレート１１、１２の各折曲げ線部２０、２１に沿って矢印Ｄ、Ｅの如く収容装置１０を折り曲げると、列状収容凹部１６の表面に形成された突部ａ及び凹部ｂと列状収容凹部１７の表面に形成された突部ａ及び凹部ｂとがそれぞれ嵌着係合し、これにより図６で示すように、列状収容凹部１６の表面と列状収容凹部１７の表面とが互いに嵌着係合し面接触することとなる。
【００２４】
このため、例えば図７の斜視図で示すように、一本の帯体５で列状収容凹部１６の表面と列状収容凹部１７の表面とをそれぞれ互いに分離せぬよう締結する簡単な作業で、列状収容凹部１６と列状収容凹部１７とが上下プレート１１、１２の各折曲げ線部２０、２１を中心に回転し、物品収容装置１０が解放されることを防ぐことができる。
【００２５】
また、図７の概念断面で示す図８のように、上側トレー１２で下側トレー１１を覆い、かつ各折曲げ線部２０、２１に沿って折り曲げると、下側トレー１１の周縁１１ａに形成された凹部１１ｂと上側トレー１２の周縁１２ａに形成された凸部１２ｂとが矢印の如く互いに当接して係合し、上下トレー１１、１２間の位置ずれが防止される。
【００２６】
そして、このような物品収容装置１０によると、その側面図で示す図９のように、その幅Ｌ´が従来の物品収容装置１の幅Ｌよりも極めて小さく（Ｌ´＜＜Ｌ）しかもその全体形状をコンパクトにすることができる。
【００２７】
なお、上記実施例では、図１０で示すように、上下トレー１１、１２の位置ずれを防止するための係合手段１８として、下側トレー１１の上面に凹部１１ｂを形成し、また上側トレー１２の下面に凸部１２ｂを形成するようにしたが、この発明は上記実施例に限定されることなく、図１０と同一部分を同一符号で示す図１１のように上側トレー１２の下面１２ｃを下側トレー１１の凹部１１ｂ内に嵌挿すべく、単に平面形状に形成するようにしてもよい。
【００２８】
なお、上記実施例では収容対象の物品としてスピンドルモータを例にして述べたが、勿論収容対象の物品も上記実施例に限定されることなく小型電子機器等であればいかなる物品でも良い。
【００２９】
またさらに、上記実施例では、上下トレー１１、１２にそれぞれ２列づつ列状収容凹部１４、１５、１６、１７を形成するようにしたが、この発明は上記実施例に限定されることなく、図５と同一部分を同一符号で示す図１２のように、上側トレー１２に３列の列状収容凹部３０、３１、３２を形成し、対応する下側トレー１１にも３列の列状収容凹部４０、４１、４２を形成するようにしてもよい。
【００３０】
このように、上下トレー１１、１２にそれぞれ３列の列状収容凹部３０、３１、３２、４０、４１、４２を形成した場合であっても、互いに隣接する列状収容凹部間に形成された各折曲げ線部２０、２１に沿って矢印Ｄ、Ｅの如く収容装置１０を折り曲げると、上側トレー１２の各列状収容凹部の表面に形成された突部ａ及び凹部ｂが互いに嵌着係合し、これにより図１３の斜視図で示すように、一本の帯体５で締結する簡単な作業で上下トレー１１、１２の各折曲げ線部２０、２１を中心に回転し、物品収容装置１０が解放されることを防ぐことができる。
【００３１】
なお、この実施例においても、図１２で示すように、下側トレー１１の周縁１１ａと上側トレー１２の周縁１２ａとには、上側トレー１２で下側トレー１１を覆った際に、互いの位置ずれを防止するための係合手段１８が形成されていることは言うまでもない。
【００３２】
なお、上記各実施例では、上下トレー１１、１２にそれぞれ２列乃至は３列づつ列状収容凹部を形成するようにしたが、この発明は上記実施例に限定されることなく列状収容凹部の数は複数列であればよく、その数に限定されない。
【００３３】
【発明の効果】
以上説明したように、この発明の物品収容装置では、互いに分離形成された上下一対のトレーに、それぞれ物品収容用の凹部が複数個列状に配置された列状収容部を複数列形成するとともに、互いに隣接する前記列状収容部間に折曲げ線部を形成し、下側トレーの前記列状収容部内に物品を配置し上側トレーで下側トレーを覆った後、折曲げ線部に沿って上下トレーを折り曲げることにより物品を列状収容部内に収容するようにしたから、物品収容装置の全体幅が狭くなり全体形状がコンパクトとなるとともに、一本の帯体で装置全体を締結するだけで、物品収容装置の解放を防ぐことができ、このため箱体等に収容する場合の収容効率が向上するだけでなく、物品の収容作業が極めて簡単になる。
【図面の簡単な説明】
【図１】図１は、この発明に係る物品収容装置の下トレーの概念斜視図。
【図２】図２は、この発明に係る物品収容装置の上トレーの概念斜視図。
【図３】図３は、この発明に係る物品収容装置の物品収容手順を示す斜視図。
【図４】図４は、この発明に係る物品収容装置の物品収容手順を示す斜視図。
【図５】図５は、この発明に係る物品収容装置の物品収容手順を示す斜視図。
【図６】図６は、この発明に係る物品収容装置の物品収容手順を示す斜視図。
【図７】図７は、この発明に係る物品収容装置の概念斜視図。
【図８】図８は、図７の概念断面図。
【図９】図９は従来の収容装置との比較を示す図。
【図１０】図１０は係合手段を示す概念断面図。
【図１１】図１１は係合手段の他の実施例を示す概念断面図。
【図１２】図１２は、この発明に係る物品収容装置の他の実施例を示す斜視図。
【図１３】図１３は、この発明に係る物品収容装置の物品収容手順を示す斜視図。
【図１４】図１４は、従来の物品収容装置の概念斜視図。
【図１５】図１５は、従来の物品収容装置の物品収容手順を示す斜視図。
【図１６】図１６は、従来の物品収容装置の物品収容手順を示す斜視図。
【図１７】図１７は、従来の物品収容装置の概念側面図。
【符号の説明】
２…物品
１０…物品収容装置
１１…下側トレー
１１ｂ…下側トレーの凹部
１２ｂ…上側トレーの凸部
１２ｃ…上側トレーの平面部
１２…上側トレー
１３…凹部
１４、１５、１６、１７、３０、３１、３２、４０、４１、４２…列状収容部
１８…係合手段
２０、２１…折曲げ線部
ａ…嵌着係合用の凹部
ｂ…嵌着係合用の突部
【図１】
2004238044.tif 000003
【図２】
2004238044.tif 000004
【図３】
2004238044.tif 000005
【図４】
2004238044.tif 000006
【図５】
2004238044.tif 000007
【図６】
2004238044.tif 000008
【図７】
2004238044.tif 000009
【図８】
2004238044.tif 000010
【図９】
2004238044.tif 000011
【図１０】
2004238044.tif 000012
【図１１】
2004238044.tif 000013
【図１２】
2004238044.tif 000014
【図１３】
2004238044.tif 000015
【図１４】
2004238044.tif 000016
【図１５】
2004238044.tif 000017
【図１６】
2004238044.tif 000018
【図１７】
2004238044.tif 000019